(57)【特許請求の範囲】
【請求項１】
光源装置、前記光源装置から射出された光束を画像情報に応じて変調する光変調装置、および前記光変調装置によって変調された光束を拡大投射する投射光学装置を含む画像投射装置と、前記画像投射装置を収納配置する外装筺体と、前記外装筺体内部の空気を外部に排出する排気装置とを備えたプロジェクタであって、
前記外装筺体には、前記投射光学装置の投射方向側の端面に内部の空気を外部に排出するための排気口が形成され、
前記画像投射装置は、前記光源装置、前記光変調装置、および前記投射光学装置が一端側から他端側に向って順次配置される略Ｌ字形状を有し、
前記排気装置は、前記外装筺体内において前記画像投射装置における略Ｌ字形状の内側部分に配設され、空気を吸入する吸入口および吸入した空気を吐出する吐出口を有する軸流ファンと、前記軸流ファンから吐出された空気を前記排気口に導く排気ダクトとを備え、
前記軸流ファンは、前記光源装置近傍に配設され、前記吐出口からの空気の吐出方向が前記投射光学装置に向く方向に前記投射光学装置の投射方向に直交する平面に対して前記吸入口および前記吐出口が所定角度、傾斜するように配置され、
前記排気ダクトは、前記軸流ファンの前記吐出口からの空気の吐出方向に略直交する垂直壁を有し、前記吐出口から吐出された空気を前記垂直壁により前記投射光学装置から離間する側に略９０度屈曲させて前記排気口に導くことを特徴とするプロジェクタ。
【請求項２】
請求項１に記載のプロジェクタにおいて、
当該プロジェクタの各構成部材に電力を供給する電源装置を備え、
前記電源装置は、前記光源装置における光束射出側とは反対側に配設され、前記投射光学装置の投射方向に沿って延出し、
前記軸流ファンは、前記軸流ファン、前記光源装置、および前記電源装置で平面視略三角形状の空間を有するように配置されていることを特徴とするプロジェクタ。
【請求項３】
請求項１または請求項２に記載のプロジェクタにおいて、
前記外装筺体は、当該プロジェクタにおける天面を構成するアッパーケースと、当該プロジェクタにおける底面を構成するロアーケースと、当該プロジェクタにおける前記投射光学装置の投射方向側の前面を構成するフロントケースとを含んで構成され、
前記フロントケースには、前記排気口が形成され、
前記排気口周縁部分には、前記投射光学装置の投射方向に直交する平面に対して前記軸流ファンの傾斜角度と略同一の傾斜角度で前記外装筺体内部に向けて突出し前記排気ダクトと接続可能とする筒状部が一体的に形成されていることを特徴とするプロジェクタ。
【請求項４】
請求項１から請求項３のいずれかに記載のプロジェクタにおいて、
前記排気ダクトは、略直方体状の中空部材で構成され、略直方体状の一側端面に空気を内部に導入する導入口が形成され、前記一側端面と交差する側端面に内部の空気を外部に排出する排出口が形成され、
前記一側端面は、平面視略正方形状を有し、
前記排気ダクトは、前記一側端面と前記一側端面に対向する側端面である前記垂直壁との離間寸法が、前記一側端面における平面視正方形状の縦または横の長さ寸法の１／２以上に設定されていることを特徴とするプロジェクタ。
【発明の詳細な説明】
【技術分野】
【０００１】
本発明は、プロジェクタに関する。
【背景技術】
【０００２】
従来、光源から射出された光束を画像情報に応じて変調して光学像を形成し、該光学像を拡大投射するプロジェクタが知られている（例えば、特許文献１参照）。
このプロジェクタは、高温度化する光源装置にて温められた高温空気をプロジェクタ外部に排出して光源装置の冷却効率を向上させる排気ダクトユニット（排気装置）が設けられている。
この排気装置は、光源装置に近接配置され光源装置近傍の空気を吸入して吐出する軸流ファンと、軸流ファンから吐出された空気を外装ケース（外装筐体）に形成された排気口に導く排気ダクトとを備え、軸流ファンから排気口に至る空気の流通路が略直線状となるように構成されている。ここで、排気ダクトにおける空気を排出する排出口には、所定角度に傾斜し、排気流を投射光学装置の投射方向から外れる方向に導く複数の羽根板で構成されるルーバが形成されている。そして、このルーバにより、排気口を介してプロジェクタ外部に光が漏れることを防止するとともに、排気流により投影画像に揺らぎが生じることを回避している。
【０００３】
【特許文献１】特開２００３−２１５７１１号公報
【発明の開示】
【発明が解決しようとする課題】
【０００４】
しかしながら、特許文献１に記載の排気装置では、軸流ファンから排気口に至る空気の流通路が略直線状となるように構成されているので、軸流ファンの駆動時に軸流ファンから発生する音が排気ダクトおよび排気口を介してプロジェクタ外部に漏れやすく、プロジェクタの静粛性を確保しにくい。
また、外装筺体外部への漏れ光（排気口を介して漏れる光）を遮光したり、排気流により投影画像に揺らぎが発生することを回避したりするために、排気ダクトにルーバを設ける必要があり、排気ダクトの形状が複雑化し、排気ダクトの製造が困難なものとなりやすい。
このため、プロジェクタの静粛性を確保でき、排気ダクトの形状を複雑化することなく外装筺体外部への漏れ光を遮光しかつ、排気流により投影画像に揺らぎが発生することを回避できる構造が要望されている。
【０００５】
本発明の目的は、静粛性を確保でき、排気ダクトの形状を複雑化することなく外装筺体外部への漏れ光を遮光しかつ、排気流により投影画像に揺らぎが発生することを回避できるプロジェクタを提供することにある。
【課題を解決するための手段】
【０００６】
本発明のプロジェクタは、光源装置、前記光源装置から射出された光束を画像情報に応じて変調する光変調装置、および前記光変調装置によって変調された光束を拡大投射する投射光学装置を含む画像投射装置と、前記画像投射装置を収納配置する外装筺体と、前記外装筺体内部の空気を外部に排出する排気装置とを備えたプロジェクタであって、前記外装筺体には、前記投射光学装置からの投射方向側の端面に内部の空気を外部に排出するための排気口が形成され、前記画像投射装置は、前記光源装置、前記光変調装置、および前記投射光学装置が一端側から他端側に向って順次配置される略Ｌ字形状を有し、前記排気装置は、前記外装筺体内において前記画像投射装置における略Ｌ字形状の内側部分に配設され、空気を吸入する吸入口および吸入した空気を吐出する吐出口を有する軸流ファンと、前記軸流ファンから吐出された空気を前記排気口に導く排気ダクトとを備え、前記軸流ファンは、前記光源装置近傍に配設され、前記吐出口からの空気の吐出方向が前記投射光学装置に向く方向に前記投射光学装置の投射方向に直交する平面に対して前記吸入口および前記吐出口が所定角度、傾斜するように配置され、前記排気ダクトは、前記軸流ファンの前記吐出口からの空気の吐出方向に略直交する垂直壁を有し、前記吐出口から吐出された空気を前記垂直壁により前記投射光学装置から離間する側に略９０度屈曲させて前記排気口に導くことを特徴とする。
本発明では、排気装置は、軸流ファンおよび排気ダクトを備え、排気ダクトが軸流ファンの吐出口からの空気の吐出方向に略直交する垂直壁を有している。このため、軸流ファンの駆動時に該軸流ファンから発生し排気ダクト内部を辿って進む音を垂直壁により遮ることができる。このため、軸流ファンからの音が排気ダクト内部を辿って排気口を介してプロジェクタ外部に漏れることがなく、プロジェクタの静粛性を確保できる。また、垂直壁が吐出方向に略直交しているので、軸流ファンからの音が垂直壁で反射した場合であっても、排気口に向けて進むことがなく、軸流ファンからの音を効果的に遮ることができる。
【０００７】
また、排気ダクトにおいて、空気を内部に導入するための導入口を介して外装筺体内部の漏れ光が入り込んだ場合であっても、垂直壁により前記漏れ光を遮光できる。このため、前記漏れ光が排気ダクト内部を辿って排気口を介してプロジェクタ外部に漏れることがなく、プロジェクタによる投影画像を観賞する人に不快感を与えることがない。また、垂直壁が吐出方向に略直交しているので、前記漏れ光が垂直壁で反射した場合であっても、排気口に向けて進むことがなく、前記漏れ光を効果的に遮光できる。
さらに、排気装置は、軸流ファンが上述したように投射方向に対して所定角度、傾斜して配置され、排気ダクトが軸流ファンの吐出口から吐出された空気を垂直壁により投射光学装置から離間する側に略９０度屈曲させて排気口に導くように構成されているので、排気流が投射光学装置の投射方向と干渉することがなく投影画像に揺らぎが発生することを回避できる。
以上のように、軸流ファンの配置、および排気ダクトの形状により、軸流ファンから排気口に至る空気の流通路を略９０度屈曲した略Ｌ字形状とすることで、従来のように排気ダクトにルーバを設けて排気流を屈曲させる構造を採用する必要がなく、すなわち、排気ダクトの形状を簡素な構造で外装筺体外部への漏れ光を遮光しかつ、排気流により投影画像に揺らぎが発生することを回避できる構造を実現できる。また、このような構造を採用することで、排気流を投射光学装置の投射方向から離間する方向に屈曲して流通させるために排気側ダクト内部での空気の流通方向と交差する方向に延出する複数の羽根板を設ける必要がなく、前記複数の羽根板により排気効率が低減せずに、排気装置により外装筺体内部の空気を効果的に外部に排出でき、光源装置の冷却効率の向上が図れる。また、軸流ファンを、よりプロジェクタの中心側に配置することが可能となり、ファンから発生する騒音が外部へ伝わるのを抑えることができる。
【０００８】
本発明のプロジェクタでは、当該プロジェクタの各構成部材に電力を供給する電源装置を備え、前記電源装置は、前記光源装置における光束射出側とは反対側に配設され、前記投射光学装置の投射方向に沿って延出し、前記軸流ファンは、前記軸流ファン、前記光源装置、および前記電源装置で平面視略三角形状の空間を有するように配置されていることが好ましい。
本発明によれば、軸流ファンは、軸流ファンと、光源装置と、電源装置とで平面視略三角形状の空間を有するように配置されているので、光源装置により温められた光源装置近傍の空気、および電源装置により温められた電源装置近傍の空気の双方を一括して吸入することができ、光源装置および電源装置の双方を効率的に冷却できる。
【０００９】
本発明のプロジェクタでは、前記外装筺体は、当該プロジェクタにおける天面を構成するアッパーケースと、当該プロジェクタにおける底面を構成するロアーケースと、当該プロジェクタにおける前記投射光学装置の投射方向側の前面を構成するフロントケースとを含んで構成され、前記フロントケースには、前記排気口が形成され、前記排気口周縁部分には、前記投射光学装置の投射方向に直交する平面に対して前記軸流ファンの傾斜角度と略同一の傾斜角度で前記外装筺体内部に向けて突出し前記排気ダクトと接続可能とする筒状部が一体的に形成されていることが好ましい。
本発明によれば、フロントケースに筒状部が形成されているので、排気口と排気ダクトとを筒状部により接続でき、排気ダクトが大型化することなく、軸流ファンから吐出された空気を排気ダクト〜筒状部〜排気口の空気流通路を辿って流通させ、排気口を介してプロジェクタ外部に効果的に排出することができる。
また、フロントケースがアッパーケースおよびロアーケースと別体で構成されているので、例えば、合成樹脂を射出成型することによりフロントケースを形成することで、外装筺体（フロントケース）に対して筒状部を容易に一体形成できる。
【００１０】
本発明のプロジェクタでは、前記排気ダクトは、略直方体状の中空部材で構成され、略直方体状の一側端面に空気を内部に導入する導入口が形成され、前記一側端面と交差する側端面に内部の空気を外部に排出する排出口が形成され、前記一側端面は、平面視略正方形状を有し、前記排気ダクトは、前記一側端面と前記一側端面に対向する側端面である前記垂直壁との離間寸法が、前記一側端面における平面視正方形状の縦または横の長さ寸法の１／２以上に設定されていることが好ましい。
本発明によれば、排気ダクトは、略直方体状の中空部材で構成されているので、略直方体状の一側端面に導入口を形成し、一側端面と交差する側端面に排出口を形成することで、軸流ファンから吐出され導入口を介して内部に導入された空気を前記一側端面に対向する側端面である垂直壁により略９０度屈曲させて排出口を介して排出できる。このため、排気ダクトの形状が簡単な形状となり、排気ダクトを容易に製造できる。
【００１１】
ここで、導入口の開口面積および排出口の開口面積は、排気装置における排気効率を考慮した場合に、前記一側端面の面積、および前記一側端面と交差する側端面の面積と略同一に設定することが好ましい。
ところで、排気ダクトを以下のように構成した場合には、光源装置の冷却効率の向上が図りにくい。
すなわち、導入口が形成される一側端面が平面視正方形状となるように設定する。さらに、上述したように、導入口および排出口を各側端面略全体に亘って形成する。そして、導入口が形成される一側端面と該一側端面に対向する側端面との離間寸法を、前記一側端面における平面視正方形状の縦または横の長さ寸法の１／２未満となるように設定する。
以上のように構成した場合には、排出口の開口面積が導入口の開口面積の１／２未満となってしまい、排気装置における排気効率が低下して、光源装置の冷却効率の向上が図りにくい。
本発明では、排気ダクトは、導入口が形成される一側端面と該一側端面に対向する側端面である垂直壁との離間寸法が、前記一側端面における平面視正方形状の縦または横の長さ寸法の１／２以上に設定されているので、排出口の開口面積を導入口の開口面積の１／２以上に設定でき、排気装置における排気効率が低減せずに、排気装置により外装筺体内部の空気を効果的に外部に排出でき、光源装置の冷却効率の向上が図れる。
【発明を実施するための最良の形態】
【００１２】
以下、本発明の実施の一形態を図面に基づいて説明する。
〔１．外観構成〕
図１および図２は、プロジェクタ１の外観を示す斜視図である。具体的に、図１は、プロジェクタ１を前面上方側から見た斜視図である。図２は、プロジェクタ１を背面上方側から見た斜視図である。
プロジェクタ１は、光源から射出される光束を画像情報に応じて変調して光学像を形成し、形成した光学像をスクリーン（図示略）上に拡大投射するものである。このプロジェクタ１は、図１または図２に示すように、略直方体状の外装筺体２、およびこの外装筺体２から露出する投射光学装置としての投射レンズ３を備える。
投射レンズ３は、筒状の鏡筒内に複数のレンズが収納された組レンズとして構成され、プロジェクタ１の装置本体により画像情報に応じて変調された画像光を拡大投射する。
【００１３】
外装筺体２は、合成樹脂製の成型品であり、プロジェクタ１の装置本体を収納する。この外装筺体２は、図１または図２に示すように、装置本体の上部部分を覆うアッパーケース２１と、装置本体の下部部分を覆うロアーケース２２と、装置本体の前面部分を覆うフロントケース２３（図１）とを備える。
アッパーケース２１は、図１または図２に示すように、外装筺体２の天面、側面の一部、背面の一部、および前面の一部をそれぞれ形成する天面部２１Ａ、側面部２１Ｂ（図２），２１Ｃ（図１）、背面部２１Ｄ（図２）、および前面部２１Ｅ（図１）を含んで構成される。
【００１４】
天面部２１Ａは、図１または図２に示すように、平面視略矩形形状を有し、平面視略中央部分から前面側、側面側、および背面側にかけて、なだらかに湾曲し、凸曲面形状を有する。
この天面部２１Ａにおいて、前方側であって、前方から見て右側部分には、図１または図２に示すように、２つの開口部２１Ａ１が形成されている。そして、２つの開口部２１Ａ１は、投射レンズ３を操作可能としスクリーン（図示略）上に投射された投影画像の投射位置調整を実施するための各種回転つまみ３Ａの一部を露出させる。
また、この天面部２１Ａにおいて、開口部２１Ａ１の後方側には、図１または図２に示すように、プロジェクタ１の起動・調整操作を実施する操作パネル２４が左右方向に延びるように設けられている。操作パネル２４の操作ボタン２４１を適宜押下すると、操作ボタン２４１内部に配置される図示しない回路基板に実装されたタクトスイッチと接触し、所望の操作が可能となる。また、前記回路基板には、図示しないＬＥＤ（Light Emitting Diode）が取り付けられており、所定の操作に応じて発光するようになっている。
なお、前述した操作パネル２４の回路基板は、制御基板（図示略）と電気的に接続され、操作ボタン２４１の押下に伴う操作信号は、前記制御基板に出力される。
【００１５】
側面部２１Ｂ，２１Ｃ、背面部２１Ｄ、および前面部２１Ｅは、図１または図２に示すように、天面部２１Ａにおける平面視矩形形状の各端縁から略垂下する部分である。
これらのうち背面部２１Ｄにおいて、背面側から見て左側部分には、図２に示すように、下端縁から上方側に向けて平面視コ字状の切り欠き２１Ｄ１が形成されている。
また、前面部２１Ｅには、図１に示すように、下端縁から上方側に向けて平面視コ字状の切り欠き２１Ｅ１が形成されている。
【００１６】
ロアーケース２２は、図１または図２に示すように、外装筺体２の底面、側面の一部、背面の一部、および前面の一部をそれぞれ形成する底面部２２Ａ、側面部２２Ｂ（図２），２２Ｃ（図１）、背面部２２Ｄ（図２）、および前面部２２Ｅ（図１）を含んで構成される。
底面部２２Ａは、具体的な図示は省略するが、略矩形状の平坦面で構成されている。そして、この底面部２２Ａには、机等の接地面に接地する複数の脚部や、プロジェクタ１内部に外部の冷却空気を導入するための吸気口が形成されている。
【００１７】
側面部２２Ｂ，２２Ｃ、背面部２２Ｄ、および前面部２２Ｅは、図１または図２に示すように、底面部２２Ａにおける平面視矩形形状の各端縁から上方に立設する部分である。
これらのうち背面部２２Ｄにおいて、背面側から見て左側部分には、図２に示すように、上端縁から下方側に向けて平面視コ字状の切り欠き２２Ｄ１が形成されている。そして、アッパーケース２１およびロアーケース２２を組み合わせた状態で切り欠き２１Ｄ１，２２Ｄ１が接続して開口部２５が形成される。この開口部２５には、図２に示すように、該開口部２５の形状に対応した外形形状を有する接続端子設置部２６が嵌合固定される。
この接続端子設置部２６は、図２に示すように、背面部２１Ｄ，２２Ｄの端面よりも内側に窪む断面略コ字形状を有し、底部分に複数の孔２６１が形成されている。そして、図２に示すように、これら複数の孔２６１を介して、外部の電子機器からの画像信号、音声信号等を入力するための複数の接続端子２７が露出している。また、この接続端子設置部２６の内側には、接続端子２７から入力される信号を処理するインターフェース基板（図示略）が配置されている。
なお、前記インターフェース基板は、制御基板（図示略）と電気的に接続され、インターフェース基板にて処理された信号は、制御基板に出力される。
【００１８】
また、背面部２２Ｄにおいて、切り欠き２２Ｄ１の下方側には、図２に示すように、２つの開口部２２Ｄ２，２２Ｄ３が形成されている。そして、図２に示すように、背面側から見て左側に位置する開口部２２Ｄ２を介して内部のインレットコネクタ２８が露出し、外部の電力をプロジェクタ１の装置本体に供給可能としている。また、図２に示すように、背面側から見て右側に位置する開口部２２Ｄ３を介して電源スイッチ２９が露出し、該電源スイッチ２９を切り替えることで、プロジェクタ１の主電源のＯＮ／ＯＦＦが可能となる。
なお、この電源スイッチ２９は、制御基板（図示略）と電気的に接続され、電源スイッチ２９の切り替えに伴う操作信号は、前記制御基板に出力される。
【００１９】
また、前面部２２Ｅには、図１に示すように、上端縁から下方側に向けて平面視コ字状の切り欠き２２Ｅ１が形成されている。そして、アッパーケース２１およびロアーケース２２が組み合わされた状態で、前面部２１Ｅの切り欠き２１Ｅ１のコ字状内側部分、および前面部２２Ｅの切り欠き２２Ｅ１のコ字状内側部分にてフロントケース２３が支持固定される。
【００２０】
図３および図４は、フロントケース２３の外観を示す斜視図である。具体的に、図３は、フロントケース２３を前面側から見た斜視図である。図４は、フロントケース２３を背面側から見た斜視図である。
フロントケース２３は、図１、図３または図４に示すように、左右方向に延びる略楕円形状を有し、アッパーケース２１およびロアーケース２２と接続することで、切り欠き２１Ｅ１，２２Ｅ１（図１）にて形成される開口部分を閉塞する。
このフロントケース２３において、前方から見て右側部分には、図１、図３または図４に示すように、外装筺体２の内側に窪み、底部分に略円形状の開口２３１が形成されている。そして、この開口２３１は、投射レンズ３の先端部分を露出させる。
また、このフロントケース２３において、長手方向略中央部分には、図１、図３または図４に示すように、リモコン受光窓２３２が形成されている。そして、このリモコン受光窓２３２の内側には、リモートコントローラ（図示略）からの操作信号を受信するリモコン受光モジュール（図示略）が配置されている。
なお、リモートコントローラには、前述した操作パネル２４に設けられる起動スイッチ、調整スイッチ等と同様のものが設けられていて、リモートコントローラを操作すると、この操作に応じた赤外線信号がリモートコントローラから出力され、赤外線信号は、リモコン受光窓２３２を介してリモコン受光モジュールで受光され、制御基板（図示略）で処理される。
【００２１】
さらに、このフロントケース２３において、前方から見て左側部分には、図１、図３または図４に示すように、プロジェクタ１内部にて温められた空気を外部に排出するための平面視矩形状の排気口２３３が形成されている。
また、この排気口２３３周縁部分には、図１、図３または図４に示すように、内部に向けて突出する筒状部としてのルーバ２３４が一体的に形成されている。より具体的には、ルーバ２３４は、排気口２３３周縁部分から投射レンズ３に近接する方向に向けて投射レンズ３からの投射方向に直交する平面に対して所定角度傾斜して突出する筒形状を有するように形成されている。この所定角度は、本実施形態では、略５５度に設定されている。そして、ルーバ２３４における筒状内側部分には、図１、図３または図４に示すように、上下に架設され、該ルーバ２３４の突出方向に延出する複数の羽根板２３３Ａが形成されている。
【００２２】
〔２．内部構成〕
図５および図６は、プロジェクタ１の内部構成を示す図である。具体的に、図５は、アッパーケース２１および制御基板を取り外した状態を前面上方側から見た斜視図である。図６は、アッパーケース２１および制御基板を取り外した状態を背面上方側から見た斜視図である。
外装筺体２の内部には、図５または図６に示すように、プロジェクタ１の装置本体が収容されている。この装置本体は、光学ユニット４と、電源装置としての電源ユニット５と、冷却ユニット６等を含んで構成される。
なお、装置本体は、図示は省略するが、光学ユニット４、電源ユニット５、および冷却ユニット６の他、光学ユニット４の上方側に配置されプロジェクタ１全体を制御する制御基板等を備えている。
【００２３】
〔３．光学ユニットの詳細な構成〕
図７は、光学ユニット４の光学系を模式的に示す平面図である。
光学ユニット４は、前記制御基板による制御の下、画像情報に応じて画像光を形成する。この光学ユニット４は、図５または図６に示すように、外装筺体２内において、背面部２１Ｄ，２２Ｄに沿って左右方向に延び、側面部２１Ｂ，２２Ｂに沿って前方に延びる平面視Ｌ字形状を有している。
この光学ユニット４は、図７に示すように、インテグレータ照明光学系４１と、色分離光学系４２と、リレー光学系４３と、電気光学装置４４と、これらの光学部品４１〜４４を内部に収納するとともに、投射レンズ３を所定位置で支持固定する合成樹脂製の光学部品用筐体４５とを備える。
インテグレータ照明光学系４１は、電気光学装置４４を構成する後述する各液晶パネルの画像形成領域をほぼ均一に照明するための光学系である。このインテグレータ照明光学系４１は、図７に示すように、光源装置４１１と、第１レンズアレイ４１２と、第２レンズアレイ４１３と、偏光変換素子４１４と、重畳レンズ４１５とを備えている。
【００２４】
光源装置４１１は、放射状の光線を射出する放射光源としての光源ランプ４１１Ａと、この光源ランプ４１１Ａから射出された放射光を反射するリフレクタ４１１Ｂと、ランプハウジング４１１Ｃ（図５ないし図７）とを備える。光源ランプ４１１Ａとしては、ハロゲンランプやメタルハライドランプ、または高圧水銀ランプが用いられることが多い。リフレクタ４１１Ｂとしては、放物面鏡を用いている。なお、放物面鏡の他、平行化凹レンズと共に楕円面鏡を用いてもよい。
ランプハウジング４１１Ｃは、光源ランプ４１１Ａおよびリフレクタ４１１Ｂを内部に収納するものであり、ロアーケース２２の底面部分に取り付けられるとともに光学部品用筐体４５と接続する。
【００２５】
第１レンズアレイ４１２は、光軸方向から見てほぼ矩形状の輪郭を有する小レンズがマトリクス状に配列された構成を有している。各小レンズは、光源ランプ４１１Ａから射出される光束を、複数の部分光束に分割している。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を後述する液晶パネル上に結像させる機能を有している。
【００２６】
偏光変換素子４１４は、第２レンズアレイ４１３の光路後段に配置される。このような偏光変換素子４１４は、第２レンズアレイ４１３からの光を略１種類の偏光光に変換するものであり、これにより、電気光学装置４４での光の利用効率が高められている。
具体的に、偏光変換素子４１４によって略１種類の偏光光に変換された各部分光は、重畳レンズ４１５によって最終的に電気光学装置４４の後述する各液晶パネル上にほぼ重畳される。偏光光を変換するタイプの液晶パネルを用いた本実施形態のプロジェクタ１では、１種類の偏光光しか利用できないため、他種類のランダムな偏光光を発する光源ランプ４１１Ａからの光束の略半分が利用されない。このため、偏光変換素子４１４を用いることにより、光源ランプ４１１Ａから射出された光束を略全て１種類の偏光光に変換し、電気光学装置４４での光の利用効率を高めている。
【００２７】
色分離光学系４２は、２枚のダイクロイックミラー４２１，４２２と、反射ミラー４２３とを備え、ダイクロイックミラー４２１，４２２によりインテグレータ照明光学系４１から射出された複数の部分光束を赤、緑、青の３色の色光に分離する機能を有している。
リレー光学系４３は、入射側レンズ４３１、リレーレンズ４３３、および反射ミラー４３２，４３４を備え、色分離光学系４２で分離された色光を青色光用の液晶パネルまで導く機能を有している。
【００２８】
この際、色分離光学系４２のダイクロイックミラー４２１では、インテグレータ照明光学系４１から射出された光束の青色光成分と緑色光成分とが透過するとともに、赤色光成分が反射する。ダイクロイックミラー４２１によって反射した赤色光は、反射ミラー４２３で反射し、フィールドレンズ４１７を通って赤色光用の液晶パネルに達する。このフィールドレンズ４１７は、第２レンズアレイ４１３から射出された各部分光束をその中心軸（主光線）に対して平行な光束に変換する。他の緑色光および青色光用の液晶パネルの光入射側に設けられたフィールドレンズ４１７も同様である。
【００２９】
ダイクロイックミラー４２１を透過した青色光と緑色光のうちで、緑色光はダイクロイックミラー４２２によって反射し、フィールドレンズ４１７を通って緑色光用の液晶パネルに達する。一方、青色光はダイクロイックミラー４２２を透過してリレー光学系４３を通り、さらにフィールドレンズ４１７を通って青色光用の液晶パネルに達する。なお、青色光にリレー光学系４３が用いられているのは、青色光の光路の長さが他の色光の光路の長さよりも長いため、光の拡散等による光の利用効率の低下を防止するためである。すなわち、入射側レンズ４３１に入射した部分光束をそのまま、フィールドレンズ４１７に伝えるためである。なお、リレー光学系４３には、３つの色光のうちの青色光を通す構成としたが、これに限らず、例えば、赤色光を通す構成としてもよい。
【００３０】
電気光学装置４４は、３枚の光変調装置となる液晶パネル４４１（赤色光用の液晶パネルを４４１Ｒ、緑色光用の液晶パネルを４４１Ｇ、青色光用の液晶パネルを４４１Ｂとする）と、偏光板４４２と、視野角補正板４４４と、クロスダイクロイックプリズム４４３とを備えている。
液晶パネル４４１は、例えば、ポリシリコンＴＦＴ(Thin Film Transistor)をスイッチング素子として用いたものであり、色分離光学系４２で分離された各色光は、これら３枚の液晶パネル４４１とこれらの光束入射側および射出側にある偏光板４４２によって、画像情報に応じて変調されて光学像を形成する。
【００３１】
偏光板４４２は、液晶パネル４４１の光路前段および光路後段に配置される入射側偏光板４４２Ａ、射出側偏光板４４２Ｂを備える。
入射側偏光板４４２Ａは、色分離光学系４２で分離された各色光のうち、一定方向の偏光光のみ透過させ、その他の光束を吸収するものであり、水晶またはサファイア等からなる基板に偏光膜が貼付されたものである。そして、この入射側偏光板４４２Ａは、光学部品用筐体４５を構成する後述する位置調整機構により、光学部品用筐体４５内に設定される所定の照明光軸に対して位置調整可能に配置されている。
【００３２】
射出側偏光板４４２Ｂも、入射側偏光板４４２Ａと略同様に構成され、液晶パネル４４１から射出された光束のうち、所定方向の偏光光のみ透過させ、その他の光束を吸収するものである。また、基板を用いずに、偏光膜をクロスダイクロイックプリズム４４３に貼り付けてもよいし、基板をクロスダイクロイックプリズム４４３に貼り付けてもよい。
これらの入射側偏光板４４２Ａ、射出側偏光板４４２Ｂは、互いの偏光軸の方向が直交するように設定されている。
【００３３】
視野角補正板４４４は、基板上に液晶パネル４４１で形成された光学像の視野角を補正する機能を有する光学変換膜が形成されたものである。このような視野角補正板４４４を配置することにより、黒画面時の光漏れを低減し投射画像のコントラストが大幅に向上する。そして、この視野角補正板４４４は、入射側偏光板４４２Ａと略同様に、光学部品用筐体４５を構成する後述する位置調整機構により、光学部品用筐体４５内に設定される所定の照明光軸に対して位置調整可能に配置されている。
【００３４】
クロスダイクロイックプリズム４４３は、３枚の液晶パネル４４１から射出された色光毎に変調された画像を合成してカラー画像を形成するものである。なお、クロスダイクロイックプリズム４４３には、赤色光を反射する誘電体多層膜と青色光を反射する誘電体多層膜とが、４つの直角プリズムの界面に沿って略Ｘ字状に形成され、これらの誘電体多層膜によって３つの色光が合成される。
【００３５】
以上説明した各光学系４１〜４４は、光学部品用筺体４５内に収容されている。
光学部品用筐体４５は、図５ないし図７に示すように、内部に光源装置４１１から射出された光束の照明光軸Ａ（図７）が設定され、前述の各光学部品４１２〜４１５，４１７，４２１〜４２３，４３１〜４３４，４４２Ａ，４４４を上方からスライド式に嵌め込む溝部（図示略）がそれぞれ設けられた容器状の部品収納部材４５１（図５、図７）と、部品収納部材４５１の上部の開口を閉塞する蓋状の蓋状部材４５２と、蓋状部材４５２の一部を含み、入射側偏光板４４２Ａおよび視野角補正板４４４の双方の位置調整を実施する位置調整機構４４５（図５、図６）とを備えて構成されている。
また、平面視略Ｌ字状の光学部品用筐体４５の一端側には、照明光軸Ａ（図７）に対する所定位置に光源装置４１１が配設され、他端側には、照明光軸Ａに対する所定位置に投射レンズ３が固定されている。また、投射レンズ３の光路前段には、電気光学装置４４が固定されている。
そして、図７に示すように、光源装置４１１、光源装置４１１を除くインテグレータ照明光学系４１、色分離光学系４２、リレー光学系４３、電気光学装置４４、および投射レンズ３が一端側から他端側に向って順次配置され、光学ユニット４と投射レンズ３とを組み合わせた状態で、平面視Ｌ字形状を有するように構成されている。
本実施形態では、投射レンズ３および光学ユニット４が本発明に係る画像投射装置に相当する。
【００３６】
〔４．電源ユニットの構成〕
図８および図９は、電源ユニット５、光源装置４１１、および冷却ユニット６を構成する冷却空気排出部６２の配置位置を示す図である。具体的に、図８は、電源ユニット５、光源装置４１１、および冷却空気排出部６２を、プロジェクタ１の背面側であって側面部２１Ｃ，２２Ｃ側から見た図である。図９は、電源ユニット５、光源装置４１１、および冷却空気排出部６２を、背面側であって側面部２１Ｂ，２２Ｂ側から見た図である。
電源ユニット５は、インレットコネクタ２８（図２）を介して外部から供給された電力を各構成部材に供給するものである。この電源ユニット５は、図５、図６、図８または図９に示すように、電源ブロック５１と、ランプ駆動ブロック５２とを備える。
電源ブロック５１は、光源装置４１１の側方（光束射出側の反対側）に配設され、インレットコネクタ２８を介して外部から供給された電力をランプ駆動ブロック５２および前記制御基板等に供給する。この電源ブロック５１は、図５、図６、図８または図９に示すように、入力される交流を所定の電圧に変換するトランスや該トランスからの出力を所定の電圧の直流に変換する変換回路等が片面に実装された回路基板５１２（図９）と、この回路基板５１２を覆う箱状部材５１１とを備える。
箱状部材５１１は、図５、図６、図８または図９に示すように、光源装置４１１とで略Ｌ字形状を有するように、前後方向（投射レンズ３の投射方向）に延出する形状を有している。そして、この箱状部材５１１には、プロジェクタ１の背面側に冷却ユニット６からの空気を内部に導入するための第１導入口５１１Ａ（図６、図８、図９）が形成され、光源装置４１１とで形成される略Ｌ字形状の内側端面に内部の空気を外部に排出するための排出口５１１Ｂ（図５、図９）が形成されている。また、図示は省略するが、この箱状部材５１１には、光源装置４１１から離間する側の端面にランプ駆動ブロック５２から排出された空気を導入するための第２導入口が形成されている。
【００３７】
ランプ駆動ブロック５２は、図５、図６、図８または図９に示すように、電源ブロック５１の側方で側面部２１Ｃ，２２Ｃ（図５、図６）に沿って配設され、光源装置４１１に安定した電圧で電力を供給するための変換回路等が片面に実装された回路基板５２２（図８）を備え、電源ブロック５１から入力した商用交流電流は、このランプ駆動ブロック５２によって整流、変換されて、直流電流や交流矩形波電流となって光源装置４１１に供給される。また、ランプ駆動ブロック５２の回路基板５２２は、電源ブロック５１と同様に、箱状部材５２１内部に収納されている。
箱状部材５２１は、図５、図６、図８または図９に示すように、箱状部材５１１と平行に前後方向に延出する形状を有している。そして、この箱状部材５２１には、背面側に冷却ユニット６からの空気を内部に導入するための導入口５２１Ａ（図６、図８、図９）が形成され、箱状部材５１１と対向する側の端面に、箱状部材５１１の前記第２導入口に対応して、内部の空気を外部に排出するための排出口（図示略）が形成されている。
【００３８】
〔５．冷却ユニットの構成〕
冷却ユニット６は、プロジェクタ１内部の構成部材を冷却するものである。この冷却ユニット６は、図５、図６、図８または図９に示すように、電源ユニット５を主に冷却する電源ユニット冷却部６１（図５、図６）と、プロジェクタ１内部の空気を外部に排出するための排気装置としての冷却空気排出部６２等を含んで構成される。
なお、具体的な図示は省略するが、冷却ユニット６は、各液晶パネル４４１や偏光変換素子４１４を冷却するための冷却ファンやダクトで構成される液晶パネル冷却部等も備えている。
【００３９】
電源ユニット冷却部６１は、図５または図６に示すように、光源装置４１１および電源ユニット５と外装筺体２の背面部２１Ｄ，２２Ｄとの間の空間に配設される。この電源ユニット冷却部６１は、図５または図６に示すように、吸気側ダクト６１１と、シロッコファン６１２と、第１排気側ダクト６１３とを備える。
吸気側ダクト６１１は、図５または図６に示すように、空気を内部に導入するための導入口（図示略）がロアーケース２２に形成された吸気口（図示略）と接続し、背面部２１Ｄ，２２Ｄに沿って延出し、延出方向先端部分に形成され内部の空気を外部に排出するための排出口（図示略）が前面側に向くように形成されている。
【００４０】
シロッコファン６１２は、図５または図６に示すように、光源装置４１１の背面側であって、空気を吸入する吸入口（図示略）が背面側に向いて吸気側ダクト６１１の前記排出口と接続し、空気を吐出する吐出口（図示略）から吐出される空気の方向がロアーケース２２の底面に沿って側面部２１Ｃ，２２Ｃ側に向くように配設される。
第１排気側ダクト６１３は、図５または図６に示すように、空気を内部に導入するための導入口（図示略）がシロッコファン６１２の前記吐出口と接続し、電源ユニット５の背面側に向けて延出し、延出方向先端部分が２つに分岐するように形成されている。そして、一方側が電源ユニット５を構成する箱状部材５１１の背面側まで延出し、他方側が電源ユニット５を構成する箱状部材５２１の背面側まで延出する。各延出方向先端部分に形成され内部の空気を外部に排出するための各排出口（図示略）は、箱状部材５１１，５２１の各導入口５１１Ａ，５２１Ａに対向する。
【００４１】
そして、シロッコファン６１２が駆動することにより、ロアーケース２２に形成された吸気口を介してプロジェクタ１外部の冷却空気が内部に導入され、吸気側ダクト６１１および第１排気側ダクト６１３を介して電源ユニット５内部に導入される。電源ユニット５のうち箱状部材５２１内部に導入された空気は、前記排出口および箱状部材５１１の前記第２導入口を介して箱状部材５１１内部に導入される。箱状部材５２１内部において、導入口５２１Ａから前記排出口へと空気が流通する際に、ランプ駆動ブロック５２の回路基板５２２が冷却される。また、電源ユニット５のうち箱状部材５１１内部に導入された空気は、排出口５１１Ｂを介して、箱状部材５１１および光源装置４１１で形成される略Ｌ字形状の内側部分に排出される。箱状部材５１１内部において、第１導入口５１１Ａおよび前記第２導入口から排出口５１１Ｂへと空気が流通する際に、電源ブロック５１の回路基板５１２が冷却される。
【００４２】
図１０および図１１は、冷却空気排出部６２の概略構成を示す分解斜視図である。具体的に、図１０は、冷却空気排出部６２を背面側であって側面部２１Ｂ，２２Ｂ側から見た分解斜視図である。図１１は、冷却空気排出部６２を前面側であって側面部２１Ｃ，２２Ｃ側から見た分解斜視図である。
冷却空気排出部６２は、図５または図６に示すように、投射レンズ３および光学ユニット４で形成される略Ｌ字形状の内側部分（光源装置４１１および箱状部材５１１で形成される略Ｌ字形状の内側部分）に配設される。この冷却空気排出部６２は、図５、図６、図８ないし図１１に示すように、軸流ファン６２１と、排気ダクトとしての第２排気側ダクト６２２とを備える。
軸流ファン６２１は、光源装置４１１の前面側に配設され、空気を吐出する吐出口（吐出面）６２１Ｂ（図１１）が投射レンズ３側に向く方向に、投射レンズ３の投射方向（プロジェクタ１の前後方向）に直交する平面に対して空気を吸入する吸入口（吸入面）６２１Ａ（図６、図８ないし図１０）および吐出口６２１Ｂが所定角度（投射方向に直交する平面とルーバ２３４の突出方向とがなす角度と略同一角度）傾斜するように配置される。この所定角度は、本実施形態では、略５５度に設定されている。より具体的に、軸流ファン６２１は、吸入口６２１Ａが光源装置４１１および箱状部材５１１で形成される略Ｌ字形状の内側部分に対向するように配置され、図５、図６、図８、または図９に示すように、軸流ファン６２１、光源装置４１１、および箱状部材５１１で平面視三角形状の空間が形成される。
【００４３】
第２排気側ダクト６２２は、図１０または図１１に示すように、ダクト本体６２２１と、軸流ファン接続部６２２２とが一体的に構成されたものであり、軸流ファン６２１から吐出された空気をフロントケース２３のルーバ２３４まで導く部材である。この第２排気側ダクト６２２は、水平面にて分割形成された成型品であり、鉛直方向に組み合わせることでダクト本体６２２１および軸流ファン接続部６２２２が形成される構成である。
ダクト本体６２２１は、図１０または図１１に示すように、略直方体状の中空部材で構成され、一側端面６２２１Ａ（図１０）と、該一側端面６２２１Ａに交差する側端面６２２１Ｂ（図１１）にそれぞれ、空気を内部に導入するための導入口６２２１Ａ１（図１０）および内部の空気を外部に排出するための排出口６２２１Ｂ１（図１１）が形成されている。すなわち、導入口６２２１Ａ１および排出口６２２１Ｂ１は、略９０度をなす角度で位置付けられている。
【００４４】
これら導入口６２２１Ａ１および排出口６２２１Ｂ１は、図１０または図１１に示すように、側端面６２２１Ａ，６２２１Ｂ略全体に亘ってそれぞれ形成されている。
ここで、側端面６２２１Ａは、図１０に示すように、軸流ファン６２１の外形形状に対応して正方形状に形成されている。
そして、側端面６２２１Ａと該側端面６２２１Ａに対向する側端面６２２１Ｃ（図１１）との離間寸法は、側端面６２２１Ａの縦または横の長さ寸法の１／２以上であることが好ましい。
本実施形態では、側端面６２２１Ａと側端面６２２１Ｃとの離間寸法は、側端面６２２１Ａの縦または横の長さ寸法と略同一に設定されている。すなわち、本実施形態では、ダクト本体６２２１は、略立方体形状を有するように設定されている。
【００４５】
また、排出口６２２１Ｂ１周縁部分には、図１１に示すように、排出口６２２１Ｂ１を囲み側端面６２２１Ｂの面外方向に突出する平面視コ字形状のルーバ接続部６２２１Ｄが形成されている。
そして、第２排気側ダクト６２２を外装筺体２内部に配設した状態では、ルーバ接続部６２２１Ｄがフロントケース２３のルーバ２３４の突出方向先端部分と当接し、排出口６２２１Ｂ１を介して排出された空気がルーバ２３４内部に導入される。
【００４６】
軸流ファン接続部６２２２は、図１０または図１１に示すように、側端面６２２１Ａに設けられ、導入口６２２１Ａ１を囲み側端面６２２１Ａの面外方向に突出する平面視矩形枠形状を有する。そして、この軸流ファン接続部６２２２における平面視矩形形状の内側部分に軸流ファン６２１が嵌合され、固定ねじ６２３により側端面６２２１Ａに軸流ファン６２１が固定される。
この軸流ファン接続部６２２２において、上下端面には、図１０または図１１に示すように、突出方向先端端縁から基端側に向けて平面視コ字状の切り欠き６２２２Ａがそれぞれ形成されている。この切り欠き６２２２Ａにより、例えば、軸流ファン接続部６２２２から軸流ファン６２１を取り外す際に軸流ファン６２１を手で掴むことが可能となり、軸流ファン６２１の交換作業等を容易に実施できる。
また、この軸流ファン接続部６２２２において、前方側から見て右側端面の突出方向先端端縁には、図１０または図１１に示すように、前方側から見て右側に向けて側端面６２２１Ａに平行に延出する整流板６２２２Ｂが形成されている。そして、第２排気側ダクト６２２を外装筺体２内部に配設した状態では、図８または図９に示すように、整流板６２２２Ｂの延出方向端縁と箱状部材５１１の端面（光源装置４１１および箱状部材５１１で形成される略Ｌ字形状の内側部分の端面）と当接して冷却空気排出部６２と箱状部材５１１との間に形成される隙間を塞ぐ。このように整流板６２２２Ｂを設けることで、光源装置４１１および箱状部材５１１で形成される略Ｌ字形状の内側部分の空気を効果的に軸流ファン６２１に吸入させている。
【００４７】
そして、軸流ファン６２１が駆動することにより、光源装置４１１および箱状部材５１１で形成される略Ｌ字形状の内側部分の空気（電源ユニット５を介して排出された空気等）や、その他の空間の空気が軸流ファン６２１に吸入される。そしてまた、軸流ファン６２１から吐出された空気が第２排気側ダクト６２２内部において側端面６２２１Ｃにより投射レンズ３から離間する方向に略９０度屈曲して流通し、ルーバ２３４および排気口２３３を介して、投射レンズ３からの投射方向から離間する方向にプロジェクタ１外部へと排出される。すなわち、本実施形態では、側端面６２２１Ｃが軸流ファン６２１からの空気の吐出方向に直交するように延出し、本発明に係る垂直壁に相当する。
より具体的に、光源装置４１１を構成するランプハウジング４１１Ｃには、図５または図６に示すように、前後方向に対向する各端面に空気を内外に流通可能とする複数の孔４１１Ｃ１が形成されており、軸流ファン６２１が駆動することにより、複数の孔４１１Ｃ１を介してランプハウジング４１１Ｃ内部の空気が軸流ファン６２１に吸入される。ランプハウジング４１１Ｃ内部において、複数の孔４１１Ｃ１を介して空気が流通する際に、光源ランプ４１１Ａやリフレクタ４１１Ｂが冷却される。
【００４８】
以上説明したように、本実施形態では、第２排気側ダクト６２２は、軸流ファン６２１の吐出口６２１Ｂからの空気の吐出方向に略直交する垂直壁６２２１Ｃを有している。このため、軸流ファン６２１の駆動時に該軸流ファン６２１から発生し第２排気側ダクト６２２内部を辿って進む音を垂直壁６２２１Ｃにより遮ることができる。このため、軸流ファン６２１からの音が第２排気側ダクト６２２内部を辿って排気口２３３を介してプロジェクタ１外部に漏れることがなく、プロジェクタ１の静粛性を確保できる。また、垂直壁６２２１Ｃが吐出方向に略直交しているので、軸流ファン６２１からの音が垂直壁６２２１Ｃで反射した場合であっても、排気口２３３に向けて進むことがなく、軸流ファン６２１からの音を効果的に遮ることができる。
【００４９】
また、第２排気側ダクト６２２において、プロジェクタ１内部の漏れ光が導入口６２２１Ａ１を介して内部に入り込んだ場合であっても、垂直壁６２２１Ｃにより前記漏れ光を遮光できる。このため、前記漏れ光が第２排気側ダクト６２２内部を辿って排気口２３３を介してプロジェクタ１外部に漏れることがなく、プロジェクタ１による投影画像を観賞する人に不快感を与えることがない。また、垂直壁６２２１Ｃが吐出方向に略直交しているので、前記漏れ光が垂直壁６２２１Ｃで反射した場合であっても、排気口２３３に向けて進むことがなく、前記漏れ光を効果的に遮光できる。
さらに、冷却空気排出部６２は、軸流ファン６２１が投射方向に対して所定角度、傾斜して配置され、第２排気側ダクト６２２が軸流ファン６２１の吐出口６２１Ｂから吐出された空気を垂直壁６２２１Ｃにより投射レンズ３から離間する側に略９０度屈曲させて排気口２３３に導くように構成されているので、排気口２３３を介してプロジェクタ１外部に排出される排気流により投影画像に揺らぎが発生することを回避できる。
【００５０】
以上のように、軸流ファン６２１の配置、および第２排気側ダクト６２２の形状により、軸流ファン６２１から排気口２３３に至る空気の流通路を略９０度屈曲した略Ｌ字形状とすることで、従来のように排気ダクトにルーバを設けて排気流を屈曲させる構造を採用する必要がなく、すなわち、第２排気側ダクト６２２の形状を簡素な構造で外装筺体２外部への漏れ光を遮光しかつ、排気流により投影画像に揺らぎが発生することを回避できる構造を実現できる。また、このような構造を採用することで、排気流を投射レンズ３の投射方向から離間する方向に屈曲して流通させるために排気ダクト内部での空気の流通方向と交差する方向に延出する複数の羽根板を設ける必要がなく、前記複数の羽根板により排気効率が低減せずに、冷却空気排出部６２により外装筺体２内部の空気を効果的に外部に排出でき、光源装置４１１の冷却効率の向上が図れる。
【００５１】
ここで、軸流ファン６２１は、軸流ファン６２１と、光源装置４１１と、電源ユニット５とで平面視略三角形状の空間を有するように配置されているので、光源装置４１１により温められた光源装置４１１近傍の空気、および電源ユニット５により温められた電源ユニット５近傍の空気の双方を一括して吸入することができ、光源装置４１１および電源ユニット５の双方を効率的に冷却できる。また、軸流ファン６２１は、上記のように配置することで、よりプロジェクタ１の中心側に配置することが可能となり、ファンから発生する騒音が外部へ伝わるのを抑えることができる。
【００５２】
また、フロントケース２３にルーバ２３４が形成されているので、排気口２３３と第２排気側ダクト６２２とをルーバ２３４により接続でき、第２排気側ダクト６２２が大型化することなく、軸流ファン６２１から吐出された空気を第２排気側ダクト６２２〜ルーバ２３４〜排気口２３３の空気流通路を辿って流通させ、排気口２３３を介してプロジェクタ１外部に効果的に排出することができる。
さらに、外装筺体２が合成樹脂製の成型品であり、フロントケース２３がアッパーケース２１およびロアーケース２２と別体で構成されているので、外装筺体２（フロントケース２３）に対してルーバ２３４を容易に一体形成できる。
【００５３】
そして、第２排気側ダクト６２２のダクト本体６２２１は、略直方体状の中空部材で構成されているので、略直方体状の一側端面６２２１Ａに導入口６２２１Ａ１を形成し、一側端面６２２１Ａと交差する側端面６２２１Ｂに排出口６２２１Ｂ１を形成することで、軸流ファン６２１から吐出され導入口６２２１Ａ１を介して内部に導入された空気を一側端面６２２１Ａに対向する側端面である垂直壁６２２１Ｃにより略９０度屈曲させて排出口６２２１Ｂ１を介して排出できる。このため、第２排気側ダクト６２２の形状が簡単な形状となり、第２排気側ダクト６２２を容易に製造できる。
【００５４】
ところで、ダクト本体において、導入口が形成される一側端面と該一側端面に対向する側端面（垂直壁）との離間寸法を、前記一側端面における平面視正方形状の縦または横の長さ寸法の１／２未満となるように設定した場合には、前記一側端面と交差する側端面に形成される排出口の開口面積が導入口の開口面積の１／２未満となってしまい、冷却空気排出部６２における排気効率が低下して、光源装置４１１の冷却効率の向上が図りにくい。
本実施形態では、第２排気側ダクト６２２は、導入口６２２１Ａ１が形成される側端面６２２１Ａと垂直壁６２２１Ｃとの離間寸法が、側端面６２２１Ａにおける平面視正方形状の縦または横の長さ寸法と略同一となるように設定されているので、排出口６２２１Ｂ１の開口面積と導入口６２２１Ａ１の開口面積とを略同一に設定でき、冷却空気排出部６２における排気効率が低減せずに、冷却空気排出部６２により外装筺体２内部の空気を効果的に外部に排出でき、光源装置４１１の冷却効率の向上が図れる。
【００５５】
また、電源ユニット５の排出口５１１Ｂが排気口２３３と直線的に配置されていないので、回路基板５１２，５２２から発生した高周波帯域の音（ノイズ）が排出口５１１Ｂおよび排気口２３３を介してプロジェクタ１外部に漏れることもなく、プロジェクタ１の静粛性を確保し、プロジェクタ１による投影画像を観賞する人に不快感を与えることがない。
【００５６】
なお、本発明は前述の実施形態に限定されるものではなく、本発明の目的を達成できる範囲での変形、改良等は本発明に含まれるものである。
前記実施形態では、第２排気側ダクト６２２のダクト本体６２２１は、略直方体状の中空部材で構成されていたが、軸流ファン６２１からの吐出方向に略直交する垂直壁を有し、軸流ファン６２１から吐出された空気を垂直壁により投射レンズ３の投射方向から離間する側に略９０度屈曲させて排気口２３３に導く形状であれば、その他の形状を採用してもよい。
前記実施形態では、フロントケース２３にルーバ２３４を一体的に形成していたが、例えば、ルーバ２３４を省略し、第２排気側ダクトを排気口２３３に向けて延出する形状として第２排気側ダクトと排気口２３３を直接、接続可能とする構造を採用してもよい。
【００５７】
前記実施形態では、第２排気側ダクト６２２は、側端面６２２１Ａと垂直壁６２２１Ｃとの離間寸法が側端面６２２１Ａにおける平面視正方形状の縦または横の長さ寸法と略同一となるように設定されていたが、これに限らず、側端面６２２１Ａと垂直壁６２２１Ｃとの離間寸法は、側端面６２２１Ａにおける平面視正方形状の縦または横の長さ寸法の１／２以上であればよい。
【００５８】
前記実施形態では、３つの液晶パネル４４１を用いたプロジェクタ１を説明したが、これに限らない。例えば、１つの液晶パネルのみを用いたプロジェクタ、２つの液晶パネルを用いたプロジェクタ、あるいは、４つ以上の液晶パネルを用いたプロジェクタにも適用可能である。また、液晶パネル４４１は、透過型を採用していたが、これに限らず、反射型の液晶パネルを採用してもよく、あるいは、ディジタル・マイクロミラー・デバイス（テキサス・インスツルメント社の商標）を採用してもよい。ディジタル・マイクロミラー・デバイスを採用した場合には、入射側偏光板４４２Ａおよび射出側偏光板４４２Ｂが不要となる。
前記実施形態では、光学ユニット４は、平面視略Ｌ字状の形状を有していたが、その他の形状を採用してもよく、例えば、平面視略Ｕ字状の形状としてもよい。
【００５９】
前記実施形態では、光入射面と光射出面とが異なる透過型の光変調装置を用いたが、光入射面と光射出面とが同一となる反射型の光変調装置を用いてもよい。
前記実施形態では、スクリーンを観察する方向から投写を行うフロントタイプのプロジェクタの例のみを説明したが、本発明では、スクリーンを観察する方向とは反対側から投写を行うリアタイプのプロジェクタにも適用可能である。
【００６０】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００６１】
本発明のプロジェクタは、静粛性を確保でき、排気ダクトの形状を複雑化することなく外装筺体外部への漏れ光を遮光しかつ、排気流により投影画像に揺らぎが発生することを回避できるため、プレゼンテーションやホームシアターに用いられるプロジェクタとして有用である。
【図面の簡単な説明】
【００６２】
【図１】本実施形態におけるプロジェクタの外観を示す斜視図。
【図２】前記実施形態におけるプロジェクタの外観を示す斜視図。
【図３】前記実施形態におけるフロントケースの外観を示す斜視図。
【図４】前記実施形態におけるフロントケースの外観を示す斜視図。
【図５】前記実施形態におけるプロジェクタの内部構成を示す図。
【図６】前記実施形態におけるプロジェクタの内部構成を示す図。
【図７】前記実施形態における光学ユニットの光学系を模式的に示す平面図。
【図８】前記実施形態における電源ユニット、光源装置、および冷却ユニットを構成する冷却空気排出部の配置位置を示す図。
【図９】前記実施形態における電源ユニット、光源装置、および冷却ユニットを構成する冷却空気排出部の配置位置を示す図。
【図１０】前記実施形態における冷却空気排出部の概略構成を示す分解斜視図。
【図１１】前記実施形態における冷却空気排出部の概略構成を示す分解斜視図。
【符号の説明】
【００６３】
１・・・プロジェクタ、２・・・外装筺体、３・・・投射レンズ（投射光学装置）、５・・・電源ユニット（電源装置）、２１・・・アッパーケース、２２・・・ロアーケース、２３・・・フロントケース、６２・・・冷却空気排出部（排気装置）、２３３・・・排気口、２３４・・・ルーバ（筒状部）、４１１・・・光源装置、４４１・・・液晶パネル（光変調装置）、６２１・・・軸流ファン、６２１Ａ・・・吸入口、６２１Ｂ・・・吐出口、６２２・・・第２排気側ダクト（排気ダクト）、６２２１Ａ，６２２１Ｂ・・・側端面、６２２１Ａ１・・・導入口、６２２１Ｂ１・・・排出口、６２２１Ｃ・・・垂直壁。
【図１】
0004635784.tif 000002
【図２】
0004635784.tif 000003
【図３】
0004635784.tif 000004
【図４】
0004635784.tif 000005
【図５】
0004635784.tif 000006
【図６】
0004635784.tif 000007
【図７】
0004635784.tif 000008
【図８】
0004635784.tif 000009
【図９】
0004635784.tif 000010
【図１０】
0004635784.tif 000011
【図１１】
0004635784.tif 000012